Podtech/llm-jp-corpus-v4-ja_patent huggingface dataset:
(57)【要約】      （修正有）【課題】自転車の駐輪時に自然と傾く前輪タイヤの傾斜と複数台の連鎖倒を防止する自転車傾倒車防止装置を提供する。【解決手段】駐輪中に、上からトップチューブ４、ダウンチューブ５、フロントフオーク８の片面の一端に輪を係着し、その輪に棒を差込んで連結させることによって前輪の傾きを防止することが出来る。又、歩行中は棒を縮めて人間の膝に当らないこと、又は、棒の一端を湾曲させることで輪に引っかかり落下しない様になっている。【選択図】図１
0003225530.tif 000002
【実用新案登録請求の範囲】
【請求項１】
自転車のトップチューブ、ダウンチューブ、フロントウオークそれぞれ３本の片面の一端に、フック又は輪わを一線に配例係着させて、その３ヶ所を連ねて適度の長さ、巾、厚み、硬さを持った板状又は棒状の型態を、差込み又は受止め固定させて前輪のぐらつき、倒傾を防止する、自転車傾斜倒車防止装置。
【請求項２】
本考案の上記記載の板状又は棒状型態の装置は、延縮み、又は、曲折が出来取外し連結出来、各々棒状の一端は湾曲させて脱落を防ぐ。
【考案の詳細な説明】
【技術分野】
【０００１】本考案は自転車停車時前輪タイヤの傾斜を防ぐ装置に関するものである。
【背景技術】
【０００２】スーパー又は学校、集会所の屋内外の駐車場には前輪が傾車して重り合い数台が倒れている場面を多く見かけられ見苦しい状景である。
【先行技術文献】
【０００３】
【特許文献】
【特許文献】〔１〕昭和５４−１４０３３４号
【実用新案文献】
〔１〕平成２３年−３１７１０９８号
【実用新案文献】
〔１〕提出日−平成３０年７月１０日（自作）
【考案の概要】
【考案が解決しようとする課題】
【０００４】本考案は前述の様な状態を解決をすることを目的と、婦女子、小供、老人も扱い易くを考えた。
【課題を解決するための手段】
【０００５】自転車のトップチューブ又はダウンチューブ更にフロントホークを利用して前輪の傾斜を一本の差棒と輪とフックで防止する。
【考案の効果】
【０００６】駐輪中平地又は斜型地によらず、本件装置が効果を出すので複数台が駐車していても風の力である一台がたおれ初めても本考案装置の自転の所で連鎖倒車が止る、特長として使い方が簡易の為小供、婦女子、老人でも扱い易く走行中はかごのに入れてもよく、短縮装置も簡単である。
【図面の簡単な説明】
【０００７】
【図１】当考案の傾斜防止装置使用の図
【図２】当考案の走行時の格納図
【図３】当考案の装置の分解部品の図
【考案を実施するための型態】
【０００８】自転車のトップチューブ、ダウンチューブ、フロントフオークの各々の片面の一端にフック又は輪を１ケ所、直線の位置に配例係着させ、その各々の輪に一端を湾曲させた細長い棒を差込んで傾斜しようとするフロンフオークとタイヤを固定させる。又、棒は伸縮可能と折曲可能である。
【実施例】
【０００９】      一実施例として
以下添付図面に従って説明する  ４は自転車のトップチューブ５はダウンチューブ８はフロントフオークである当考案は１の棒を２の輪を３ケ所連ねて差込んで８のフロントフオークを固定している又１の３のケ所は走行時８のフロンフオークを開放するため短縮できる格納装置で以上二様を１図２図で示した。
【付号の説明】
【００１０】〔図１〕
１  差込棒とその湾曲ケ所
２  差込棒受入の輪わ
３  曲折又は１の上部に収納するケ所
４  トップチューブ
５  ダウンチューブ
６  タイヤ泥除けカバー
７  タイヤ
８  フロントフオーク
〔図２〕
Ａ  駐輪時の使用図。
Ｂ  走行時  棒の格納図。
〔図３〕各部品
１の１棒の収納図。１の２棒を引出した図。１の３穴の正面図
２、３、４  材質による輪の三型態。
２金属  ２竹又は合成樹脂製  ３木製。
５  ２３４の横面図。
【図１】
0003225530.tif 000003
【図２】
0003225530.tif 000004
【図３】
0003225530.tif 000005
【手続補正書】
【提出日】令和1年12月18日(2019.12.18)
【手続補正１】
【補正対象書類名】実用新案登録請求の範囲
【補正対象項目名】全文
【補正方法】変更
【補正の内容】
【実用新案登録請求の範囲】
【請求項１】
自転車のトップチューブ、ダウンチューブ、フロントウオーク、のそれぞれの３本の片面の一端に、フック又は輪を一線に配例係着させて、その３ケ所を適度の長さ、巾、厚み、硬さを持った板状又は棒状の型態を差込み又は受止め固定させて前輪のぐらつき倒傾を防止する、自転車傾倒車防止装置。
【請求項２】
0003225530.tif 000006
出来  取外し連結出来、各々棒状の一端は湾曲させて脱落を防ぐ、請求項１に記載の自転車傾斜倒車防止装置。
(57)【要約】      （修正有）【課題】軽量化、製造コストの削減、生産性の向上を図る２層掛け布団を提供する。【解決手段】製綿した上層部ワタ１と下層部ワタ２の間に中布３を挟み込み２層に分けた中ワタをワタ入れ機で布団側地のワタ入れ口から挿入し縫合した後、掛け布団全体を中ワタの偏りがないようにコンフォーターキルトで縫合する。【選択図】図１
0003225546.tif 000002
【実用新案登録請求の範囲】
【請求項１】
製綿した上層部ワタ１と下層部ワタ２の間に中布３を挟み込み２層に分けた中ワタ４を布団側地５のワタ入れ口６から挿入し縫合した後、掛け布団全体を中ワタ４の偏りがないようにコンフォーターキルト７で縫合してなる２層掛け布団。
【考案の詳細な説明】
【技術分野】
【０００１】  本考案は、寝具用の掛け布団の製造に関するものである。
【背景技術】
【０００２】  従来の２層掛け布団の製造法は、側地と中布の間に製綿した中ワタを入れ４隅を縫合したものを２組作成し、それぞれを重ね合せてさらに縫合するものであった。その製造法は煩雑である上に使用する生地の用尺も多く、掛け布団の軽量化や製造コストの削減など生産性の向上が必要であった。
【考案の概要】
【考案が解決しようとする課題】
【０００３】  本考案は２層掛け布団の軽量化、製造コストの削減、生産性の向上を図るため、ワタ入れ工程と側縫製の製造工程短縮を課題とする。
【課題を解決するための手段】
【０００４】  上記課題を解決するため製綿した上層部ワタ１と下層部ワタ２の間に中布３を挟み込み２層に分けた中ワタ４をワタ入れ機で布団側地５のワタ入れ口６から挿入し縫合した後、掛け布団全体を中ワタ４の偏りがないようにコンフォーターキルト７で縫合してなる２層掛け布団を提供する。
【考案の効果】
【０００５】  ２層掛け布団を生産する過程において、製綿したワタ入れ工程１回と側縫製を１回でおこなうことにより、掛け布団の軽量化、製造コストの削減、生産性の向上を図ることができる。さらに当該製造法でかさ高性が約２〜３割程度増すことによる保温性の向上を提供する製造法である。
【図面の簡単な説明】
【図１】この考案の実施例を示す中ワタの断面図
【図２】この考案の実施例を示す中ワタと布団側地の斜視図
【図３】この考案の実例を示す平面図
【考案を実施するための形態】
【０００６】以下、本考案の２層掛け布団の実施例を図面に基づいて説明する。
【実施例】
【０００７】  従来の２層掛け布団の製造法は、２回のワタ入れ工程と２回の側縫製が必要な非常に手間と時間のかかるものであった。本考案の２層掛け布団は、１回のワタ入れ工程と１回の側縫製をおこなうだけで製品化することができるため、より早く安価で軽量化された２層掛け布団を提供することができる。【０００８】  さらにこの製造法で機能素材を使って２層掛け布団を作ると安価で様々な用途の掛け布団を提供することができる。例えば人体から出る湿気や水分を吸収することにより発熱する吸湿発熱綿を下層部ワタ２に使って暖かくなる機能布団や温度調整綿を使用した機能布団などを提供することが考えられる。また抗菌防臭綿や防ダニ綿を適宜中ワタ４に使用していつも清潔な布団を提供することができる。【０００９】  中布３の素材に不織布を使用すると安価にできるが、一方で断熱シート素材や縦ワタを使用することでより一層暖かい２層掛け布団を提供することができる。【００１０】  使用者の要望や用途に応じて上層部ワタ１と下層部ワタ２に機能ワタを適宜選ぶことができ、さらに中布３や布団側地５の素材を替えることによってさらに当該２層掛け布団の機能の種類は増えることになる。
【産業上の利用可能性】
【００１１】  本考案の２層掛け布団は暑さ対策、寒さ対策、湿気対策など四季がある日本の多様な気候環境に対して適応可能な布団製造法であり、また使用者の様々な希望や要求に対して安価に対応可能な布団製造法である。
【符号の説明】１  上層部ワタ
２  下層部ワタ
３  中布
４  中ワタ
５  布団側地
６  ワタ入れ口
７  コンフォーターキルト
【図１】
0003225546.tif 000003
【図２】
0003225546.tif 000004
【図３】
0003225546.tif 000005
(57)【要約】      （修正有）【課題】パテ材やコーキング材等の仕上げ剤を対象部材に塗布するための作業用ヘラを提供する。【解決手段】薄板な金属板からなるブレード本体４とこのブレード本体４を保持する把持部１とを備えた作業用ヘラの把持部１の正面側の板面に磁石２を配設し背面側の板面に薄板な鉄製の金属片を配設したことにより、作業用ヘラが安定した状態で置かれる。【選択図】図１
0003225543.tif 000002
【実用新案登録請求の範囲】
【請求項１】
薄板な金属板からなるブレード本体とこのブレード本体を保持する把持部とを備えた作業用ヘラにおいて、前記把持部の正面側の板面に磁石を配設し背面側の板面に薄板な金属片を配設したことを特徴とする作業用ヘラ。
【考案の詳細な説明】
【技術分野】
【０００１】  本考案は、パテ材やコーキング材等の仕上げ剤を対象部材に塗布するための作業用ヘラの構造に関するものである。
【背景技術】
【０００２】  従来のコーキング作業は、水密性や気密性を高めるためにコーキングガンを使用しており、目地部分にコーキング材をしっかりと注入し、ヘラやならしバッカ―（ヘラ）を使用し目地に押し込んで内部の気泡や空隙を取り除きながら均一になるようにならしている。目地からはみ出してヘラやならしバッカ―（ヘラ）に付いてきたコーキング材は絵画用のパレットのようにブレードの広い面を有する大きなヘラ（バチヘラ）に溜めていき、溜まったコーキング材は又コーキング缶に戻して使っている。【０００３】
【特許文献】特開平０７−３０５４９２号公報
【考案の概要】
【考案が解決しようとする課題】
【０００４】  しかしながら、コーキングの仕上げ作業は、右手にヘラやならしバッカ―（ヘラ）を左手には大きなヘラ（バチヘラ）を持っての両手の作業になるので、例えば足場上や高所作業時等でコーキング作業時にヘラを持ち替える際にはヘラが不安定な状態で置かれてしまってる。また作業終了時、ヘラの収納は無造作に行われた。
【課題を解決するための手段】
【０００５】  上記問題を達成するために、薄板な金属板からなるブレード本体とこのブレード本体を保持する把持部とを備えた作業用ヘラの把持部の正面側の板面より磁石を配設し背面側の板面に薄板な鉄製の金属片を配設した。そして磁石及び金属片の表面が板面より外部に露出させた状態で埋設されている。
【考案の効果】
【０００６】  作業用ヘラの把持部の一側面に磁石を配設しているので、足場上や高所作業時等でコーキング作業時にヘラを持ち替える際には、足場等の金属部に把持部の板面の正面側に配設した磁石の面を確実に着けることが出来るので、ヘラは安定した状態で置いておくことが出来るので、安心して別の作業を続行できる。【０００７】  またヘラの把持部の背面側の板面には薄板な鉄製の金属片を配設しているので、薄板な鉄製の金属片の上面に磁石を有するヘラを重ね合わせていく事によりヘラが一か所に整理されるので作業再開時には、即時作業を開始できるから作業効率が良い。【０００８】  そして作業終了時、ヘラの収納は無造作に行われたが、把持部に配設した磁石の上に薄板な鉄製の金属片を有するヘラを重ねる合わせる事により、ヘラの個数確認も容易に出来て整理整頓されるのでコンパクトに収納できる。【０００９】  さらに１個もしくは複数個の磁石及び金属片の表面が把持部の板面より外部に露出させた状態で埋設されているので、ヘラを足場等の金属部に磁石の面をより強固に着けることが出来る。
【図面の簡単な説明】
【００１０】
【図１】本考案の正面図
【図２】本考案の背面図
【図３】把持部の一部欠損の拡大側面図
【考案を実施するための形態】
【００１１】  本考案は、薄板な金属板からなるブレード本体とこのブレード本体を保持する把持部とを備えた作業用ヘラの把持部の正面側の板面に磁石を配設し背面側の板面に薄板な金属片を配設した。以下、添付図面に従って一実施例を説明する。
【実施例】
【００１２】  図１及び図２は本考案の正面図と背面図である。図３は把持部の一部欠損の側面図である。１は把持部であり、木製等で形成されている。２は磁石であって作業用ヘラの把持部１の正面側の板面に配設しており、背面側の板面には薄板な鉄製の金属片３を配設している。４は薄板な金属板からなるブレード本体であり把持部１を備えている。なお１個もしくは複数個の磁石２及び金属片３の表面が把持部１の板面より外部に露出させた状態で埋設されている。【００１３】  本考案は以上の構成であるから、コーキングの仕上げ作業は、右手にヘラやならしバッカ―（ヘラ）を持って、コーキング材を押すると共に、目地からはみ出したコーキング材を削り取る作業が行われるが、、目地からはみ出したコーキング材はヘラやならしバッカ―（ヘラ）に付いてきたコーキング材は、絵画用のパレットのようにブレードの広い面を有する大きなヘラ（バチヘラ）を左手に持って、大きなヘラ（バチヘラ）の面に溜めていき、溜まったコーキング材材は又コーキング缶に戻して使っている。この大小の二本のヘラを持って作業するのは非常に作業しやすいが、コーキングの仕上げ作業は、右手にヘラやならしバッカ―（ヘラ）を左手には大きなヘラ（バチヘラ）を持っての両手の作業になるので、例えば足場上や高所作業時等でヘラを持ち替える際、足場等の金属部にヘラを置いた場合には、把持部１の正面側の板面に配設した磁石２の表面が把持部１の板面より外部に露出しているので、確実により強固に足場等の金属部に着けることが出来るのでヘラは安定した状態で置いておくことが出来て、安心して別の作業を続行できる。またヘラの把持部１背面側の板面には薄板な鉄製の金属片３の表面が把持部１の板面より外部に露出しているので、薄板な鉄製の金属片３の上面に磁石を有するヘラを、確実により強固に着けることが出来るし、ヘラを重ね合わせていく事によりヘラが一か所に整理されるので一目でヘラを確認することが出来るので、作業再開時には即時作業を開始できるから作業効率が良い。さらに作業終了時、ヘラの収納は無造作に行われたが、把持部１に配設した磁石２の面の上に薄板な鉄製の金属片３を有するヘラを重ねる合わせる事により、個数確認も容易に出来る上にヘラが整理整頓されるのでコンパクトに収納できる。
【産業上の利用可能性】
【００１４】  本考案は、作業用ヘラを利用する産業で利用される。
【符号の説明】
【００１５】１  把持部
２  磁石
３  金属片
４  ブレード本体
【図１】
0003225543.tif 000003
【図２】
0003225543.tif 000004
【図３】
0003225543.tif 000005
(57)【要約】      （修正有）【課題】錠剤を１つずつ取り出し易く、しかも衛生的に保護された錠剤用保護シートを提供する。【解決手段】極薄フイルム１の上に、軟質フイルム３の内面を固着し、軟質フイルム３の内面に錠剤２を入れる箇所を設けた凹面部３ａを複数個設け、軟質フイルム３の凹面部３ａの外面に日付を書いた日付シール４を粘着し、日付シート４と共に軟質フイルム３の凹面部３ａの外面を指で押すと凹むことによって、錠剤２が極薄フイルム１を破り、錠剤２が破れた極薄フイルム１から出てくる。【選択図】図２
0003225541.tif 000002
【実用新案登録請求の範囲】
【請求項１】
極薄フイルムの上に、軟質フイルムの内面を固着し、前記軟質フイルムの内面に錠剤を入れる箇所を設けた凹面部を複数個設け、前記軟質フイルムの凹面部の外面に日付を書いた日付シールを粘着した錠剤用保護シート。
【請求項２】
軟質フイルムの外面の上部に、前記軟質フイルムの凹面部の外面に貼着した日付シールに書いた前記日付の月を書いた月付シールを粘着した請求項１記載の錠剤用保護シート。
【考案の詳細な説明】
【技術分野】
【０００１】  本考案は、錠剤を１つずつ取り出し易く、しかも衛生的に保護された錠剤用保護シートに関するものである。
【背景技術】
【０００２】  従来の錠剤用保護シートは、錠剤を１錠ずつ入れているが、錠剤を毎日１錠ずつ飲み続けている人にとっては、今日すでに錠剤を飲み終えたかどうか分からなくなってしまうことがある。また、一般的には、高齢者の場合、さらに、分からなくなってしまうことが多くなる。
【先行技術文献】
【特許文献】
【０００３】
【特許文献１】特開２０１１−１３１９３１特許公開公報
【特許文献２】特開２０１１−０９３５９６特許公開公報
【考案の概要】
【考案が解決しようとする課題】
【０００４】従来から、錠剤用保護シートは、１錠ずつ、たとえば１０錠を並べて入れている。飲む人は、端から順番に毎日飲んでゆくわけであるが、今日の分を飲んだかどうか記憶がなくなり、毎日のことなので、分からなくことがある。また、高齢者にとって、一般的に飲んだかどうか分からなくなる回数が多くなることが課題である。その結果、今日飲むべき錠剤を飲んでいないのに、飲んだと思い込み、飲まずに済ませてしまうことがある。逆に一度飲んだのに、飲んだことを忘れてもう一度飲むこともある。このようになると、大変なことになる。【０００５】  そこで、錠剤用保護シートに入れられた錠剤を飲んだかどうか確認できるように考案されたのが、本考案である。しかも、誰でも簡単でかつ、安価に考えられた考案である。
【課題を解決するための手段】
【０００６】  本考案は、上記目的を達成するために、極薄フイルムの上に、軟質フイルムの内面を固着し、前記軟質フイルムの内面に錠剤を入れる箇所を設けた凹面部を複数個設け、前記軟質フイルムの凹面部の外面に日付を書いた日付シールを粘着した錠剤用保護シートである。【０００７】  さらに、本考案の軟質フイルムの外面の上部に、前記軟質フイルムの凹面部の外面に前記日付シールに書いた日付の月を書いた月付シールを粘着した錠剤用保護シートである。【０００８】  本考案の錠剤用保護シートに保存された錠剤を飲むため、錠剤を取り出すには、今日の日の日付シールが貼られている軟質フイルムの凹面部の外面に、飲む人が指で押さえて凹面部を凹ますことによって、錠剤が極薄フイルムを破り、錠剤が破れた極薄フイルムから出てくるので、今日飲むべき錠剤であることが分かる。
【考案の効果】
【０００９】  本考案に特有の効果は、今日飲むべき錠剤を飲んだかどうか、分からなくなってしまった場合、軟質フイルムの凹面部の外面に貼られた日付シールの日付を見ると、錠剤を飲んだのであれば、今日の日の日付シールが凹んでいるので、簡単に確認できる。【００１０】  その結果、今日飲むべき錠剤をすでに飲んだのかどうか分からなくなった場合、軟質フイルムの凹面部の外面に貼られた今日の日の日付シールを見ると、軟質フイルムの凹面部と共に凹面部に貼られた今日の日の日付シールも凹んでおれば、すでに飲んでいたことになり、逆に、軟質フイルムの凹面部と共に凹面部に貼られた今日の日の日付シールが凹んでない状態であれば、まだ飲んでおらないことを確認することができる。
【図面の簡単な説明】
【００１１】
【図１】本考案の一実施形態を示す平面図
【図２】本考案の一実施形態を示すＡ−Ａ線端面図
【考案を実施するための形態】
【００１２】  錠剤用保護シートであって、極薄フイルムの上に、軟質フイルムの内面を固着し、前記軟質フイルムの内面に錠剤を入れる箇所を設けた凹面部を複数個設け、前記軟質フイルムの前記凹面部の外面に日付を書いた日付シールを粘着した錠剤用保護シートである。日付シートと共に前記軟質フイルムの凹面部の外面を指で押すと凹むと、錠剤が極薄フイルムを破り、錠剤が破れた極薄フイルムから出てくる。
【実施例１】
【００１３】  本考案の添付図面、図１および図２に従って一実施例を説明する。１は極薄フイルムの上に、軟質フイルム３の内面を固着し、軟質フイルム３の内面に錠剤２を入れる箇所を設けた凹面部３ａを複数個設け、軟質フイルム３の凹面部３ａの外面に日付を書いた日付シール４を粘着し、日付シート４と共に軟質フイルム３の凹面部３ａの外面を指で押すと凹むこととなる。極薄フイルム１には、アルミ箔製などがある。【００１４】  本考案は、薬局で購入する際、１か月分の錠剤をもらうことが多いので、たとえば、毎日１錠を飲む場合、１０錠入りの錠剤用保護シートを３枚もらって帰る。そして、３枚の錠剤用保護シートの軟質フイルム３の凹面部３ａの外面に、１か月の日数すなわち、１〜３０ないし３１の日付を書いた日付シール４を貼着することである。【００１５】  錠剤用保護シートに保存された錠剤２を飲むため、錠剤２を取り出すには、今日の日の日付シール４が貼られている軟質フイルム３の凹面部３ａの外面に、飲む人が指で押して凹面部３ａを凹ますことによって、錠剤２が極薄フイルム１を破り、錠剤２が破れた極薄フイルム１から出てくるので、今日飲むべき錠剤２であることが分かる。
【実施例２】
【００１６】  また、第２の実施例は、図１で示すように、軟質フイルム３の外面の上部に、軟質フイルム３の凹面部３ａの外面に貼着した、日付シール４の日付の月を書いた月付シール５を貼着することによって、今日飲むべき錠剤２の日付の月が分かる。【００１７】  本考案によって、今日飲むべき錠剤２をすでに飲んだかどうかを確認できるので、飲み忘れが起こらない。また、誤って二度飲みを防止できる。健康上、大変役に立つ考案である。
【符号の説明】
【００１８】１・・・極薄フイルム
２・・・錠剤
３・・・軟質フイルム
３ａ・・凹面部
４・・・日付シール
５・・・月付シール
【図１】
0003225541.tif 000003
【図２】
0003225541.tif 000004
(57)【要約】【課題】  建物の構造用断熱パネルにおいて、電気コンセントや照明スイッチ等の装置の取り付や配線工事を容易にする。【解決手段】  あらかじめ工場内で所定の設計で組み付け一体成形した、建物の構造用断熱パネル１であって、枠組２と、面材３と、断熱材４と、電気コンセント或いは照明スイッチ等の装置５及びこれに連結した配線６とを有し、該枠組２の少なくとも片面を該面材３で塞ぐとともに中空を該断熱材４で満たし、さらには該断熱材４又は該面材３或いはその両方の所定位置を欠き切って凹７を設けて該装置５を取り付け、該配線６を該構造用断熱パネル１内部を経由して外部に延出し、外部工事配線と接続できる構造とした。【選択図】図１
0003225551.tif 000002
【実用新案登録請求の範囲】
【請求項１】
あらかじめ工場内で所定の設計で組み付け一体成形した、建物の構造用断熱パネルであって、枠組と、面材と、断熱材と、電気コンセント或いは照明スイッチ等の装置及びこれに連結した配線とを有し、該枠組の少なくとも片面を該面材で塞ぐとともに中空を該断熱材で満たし、さらには該断熱材又は該面材或いはその両方の所定位置を欠き切って凹を設けて該装置を取り付け、該配線を該構造用断熱パネル内部を経由して外部に延出し、外部工事配線と接続できる構造とした構造用断熱パネル。
【考案の詳細な説明】
【技術分野】
【０００１】  本考案は、建物の構造用断熱パネルに関する。
【背景技術】
【０００２】  建物の強度や気密・断熱構造を容易に得られる手段として、構造用断熱パネルを構造部材として組み付けする工法が広く一般に採用されている。【０００３】  しかしながら、このような工法においては、構造用断熱パネル自体の取り付けは簡単であるものの、後からこれに電気コンセントや照明スイッチ等の装置を取り付けする場合、構造用断熱パネル内部に備わる断熱材が支障となり配線接続や装置の取り付けがしにくく時間がかかるという不都合を有していた。【０００４】  この問題を解決するための従来技術として、次の壁パネル配線構造が提案されている。
【先行技術文献】
【特許文献】
【０００５】
【特許文献１】実開平７−３６５３５号公報
【考案の概要】
【考案が解決しようとする課題】
【０００６】  本考案は、上記、従来有する問題点に鑑み、建物の構造用断熱パネルにおいて、電気コンセントや照明スイッチ等の装置の取り付けや配線工事を容易にする。
【課題を解決するための手段】
【０００７】  あらかじめ工場内で所定の設計で組み付け一体成形した、建物の構造用断熱パネル１であって、枠組２と、面材３と、断熱材４と、電気コンセント或いは照明スイッチ等の装置５及びこれに連結した配線６とを有し、該枠組２の少なくとも片面を該面材３で塞ぐとともに中空を該断熱材４で満たし、さらには該断熱材４又は該面材３或いはその両方の所定位置を欠き切って凹７を設けて該装置５を取り付け、該配線６を該構造用断熱パネル１内部を経由して外部に延出し、外部工事配線と接続できる構造とした。
【考案の効果】
【０００８】  本考案によれば、この構造用断熱パネルは、電気コンセントや照明スイッチ等の装置、及びこれに連結した配線を含め、あらかじめ工場内で所定の設計で組み付け一体成形していることから、現場での設置が容易であり、且つ、強度や気密・断熱構造を損なうことなく、外部工事配線と接続が可能となる。
【考案を実施するための最良の形態】
【０００９】  以下、本考案の実施の形態について、図面を参照して説明する。
図１・図２・図３・図４に示すように、本考案に於いては、あらかじめ工場内で所定の設計で組み付け一体成形した、建物の構造用断熱パネル１であって、枠組２と、面材３と、断熱材４と、電気コンセント或いは照明スイッチ等の装置５及びこれに連結した配線６とを有し、該枠組２の少なくとも片面を該面材３で塞ぐとともに中空を該断熱材４で満たし、さらには該断熱材４又は該面材３或いはその両方の所定位置を欠き切って凹７を設けて該装置５を取り付け、該配線６を該構造用断熱パネル１内部を経由して外部に延出し、外部工事配線と接続できる構造とした。
【図面の簡単な説明】
【００１０】
【図１】  本考案に於ける構造用断熱パネルの構造を説明する略分解図である。
【図２】  本考案に於ける構造用断熱パネルの構造を説明する略分解図であって、部材配置が異なる一例である。
【図３】  本考案に於ける構造用断熱パネルの装置及び配線構造を表す略説明図である。
【図４】  本考案に於ける構造用断熱パネルの装置及び配線構造の前面に面材を備えた一例を表す略説明図である。
【符号の説明】
【００１１】    １  構造用断熱パネル
２  枠組
３  面材
４  断熱材
５  装置
６  配線
７  凹
【図１】
0003225551.tif 000003
【図２】
0003225551.tif 000004
【図３】
0003225551.tif 000005
【図４】
0003225551.tif 000006
【手続補正書】
【提出日】令和1年12月20日(2019.12.20)
【手続補正１】
【補正対象書類名】実用新案登録請求の範囲
【補正対象項目名】全文
【補正方法】変更
【補正の内容】
【実用新案登録請求の範囲】
【請求項１】
あらかじめ工場内で所定の設計で組み付け一体成形した、建物の構造用断熱パネルであって、枠組と、面材と、断熱材と、電気コンセント或いは照明スイッチの装置及びこれに連結した配線とを有し、該枠組の少なくとも片面を該面材で塞ぐとともに中空を該断熱材で満たし、さらには該断熱材又は該面材或いはその両方の所定位置を欠き切って凹を設けて該装置を取り付け、該配線を該構造用断熱パネル内部を経由して外部に延出したことにより、外部工事配線と接続できる構造とした構造用断熱パネル。
(57)【要約】      （修正有）【課題】カードの折り代端部に一定領域を固定した折り罫を設け、この折り罫の中央部に任意の高さの凸形状の突起部を設け、カードの一表紙部を開いた時に凸形状の突起部が見開きのカード面の折り代端部に連設する折り罫で支持されるという構成から成るメッセージカードを提供する。【解決手段】中間背面巾部２をはさんで二つ折りにして展開した２枚の表紙部１、１’のうち、他方の表紙部１’の中間背面巾部に隣接する中央部分に凸起片部３を設け、この凸起片部は反り返って一方の表紙部１上に起立し得るようになり、前記中間背面巾部の一部は糊着固定４して成るものである。【選択図】図５
0003225582.tif 000002
【実用新案登録請求の範囲】
【請求項１】
中間背面巾部をはさんで二つ折りにして展開した２枚の表紙部のうち、他方の表紙部の中間背面巾部に隣接する中央部分に凸起片部を設け、この凸起片部は反り返って一方の表紙部上に起立し得るようになり、前記中間背面巾部の一部は糊着固定して成ることを特徴とするメッセージカード。
【考案の詳細な説明】
【技術分野】
【０００１】
本考案は、組立式のメッセージカードに関するものである。
【背景技術】
【０００２】
従来、カードの折り代端部に一定領域を糊で固定した折り罫を設け、折り罫の中央部に凸形状の突起部を設け、カードを開いたときに凸形状の突起部が開きのカード面を折り代端部に連設する折り罫に支持されるという構成から成る考案として関係のあるものとしては、次に例挙するものが公知文献の中に見られるのである。
【先行技術文献】
【特許文献】
【０００３】
【特許文献１】特開平１１−３２１８５５号公報
【特許文献２】特開２００９−１４３６１４号公報
【特許文献３】特開２００４−２９９７３２号公報
【特許文献４】特開２００６−６２３３５号公報
【０００４】
しかしながら、以上に記載した公知技術は紙箱におけるものであり、冊子やカードの見開きに関するものではない。即ち、
【０００５】
特許文献１は、紙カートンのための蓋のヒンジとなる箇所に糊を塗布する固定領域を備え、蓋パネルを開けたときに蓋パネルの爪部分を紙カートンの上面パネルの手前部分に突き出す状態にすることで蓋パネルが上面パネルに対して起立した状態になり、紙カートンが開いた状態を維持するとの記載があるだけのものであるから、メッセージカードにおけるものではない。
【０００６】
特許文献２は、蓋板本体を引き起こすと、取出口に位置していた閉鎖版の延設部が箱内部に回動し、延設部側辺が開口した取出口に臨む張り出し部と側辺相互に係止することにより、手を放しても蓋板本体の起立状態を維持する紙箱の記載はあるが、延設部に下に接する面部はないことは、メッセージカードの見開きについての技術ではない。
【０００７】
特許文献３は、主蓋板と副蓋板を備える紙製箱の副蓋板を開放すると、副蓋板に貼り合わされた開放片の折目線上の切り目から形成される固定片が前方に突出形成され、蓋板から固定片に対応する係止片の上面に当接することで起立状態を維持する記載はあるが、これはメッセージカードの見開きの構成のものではない。
【０００８】
特許文献４は、雑誌の綴代部分の近傍に線状の切込または切欠を形成することにより、見開きされた左右両頁の戻りを抑制し見開いた状態を維持することができる記載はあるが、突起部を設けていない点では相違する。
【考案の概要】
【考案が解決しようとする課題】
【０００９】
本考案は、カードの折り代端部に一定領域を固定した折り罫を設け、この折り罫の中央部に任意の高さの凸形状の突起部を設け、カードの一表紙部を開いた時に凸形状の突起部が見開きのカード面の折り代端部に連設する折り罫で支持されるという構成から成るメッセージカードを提供することを目的とするものである。
【課題を解決するための手段】
【００１０】
本考案は、中間背面巾部をはさんで二つ折りにして展開した２枚の表紙部のうち、他方の表紙部の中間背面巾部に隣接する中央部分に凸起片部を設け、この凸起片部は反り返って一方の表紙部上に起立し得るようになり、前記中間背面巾部の一部は糊着固定して成るものである。
【考案の効果】
【００１１】
本考案にあっては、見開き状態になる２つの表紙部のうち、一方の表紙部を下側面に置いた時に他方の表紙部を開口すると、その凸形突起部を支点に開口起立し、その起立状態を表紙部上に適当角度に保持することができるようになるから、メッセージをよく見ることができるのである。
【図面の簡単な説明】
【００１２】
【図１】（Ａ）開閉カードの開状態全体の正面図、（Ｂ）開閉カードの取り扱い状態を示す斜視図
【図２】（Ａ）開閉カードの閉状態の斜視図、（Ｂ）開閉カードの略閉状態の側面図
【図３】（Ａ）開閉カードの少開口状態の斜視図、（Ｂ）開閉カードの少開口状態の側面図、（Ｃ）（Ｂ）図の一部拡大側面図
【図４】（Ａ）開閉カードの直角開口状態の斜視図、（Ｂ）開閉カードの直角開口状態の側面図
【図５】（Ａ）開閉カードの全開状態の斜視図、（Ｂ）開閉カードの全開状態の側面図、（Ｃ）（Ｂ）図の一部拡大側面図
【考案を実施するための形態】
【００１３】
本考案を実施するための形態についての説明は、次の実施例において、厚紙材の組立状態を説明しているから、この記載に譲ることにする。
【実施例】
【００１４】
１，１’は厚紙材を二つ折りにした中間背面巾部２をはさんで展開した２枚の表紙部で、一方の表紙部１は前記中間背面巾部２をはさんで構成するが、他方の表紙部１’には中間背面巾部２に隣接する中央部分には凸起片部３を設けている。
【００１５】
この凸起片部３の厚さは表紙部１’と一体に成るから同一であり、当該表紙部１’を全開すると、同時に凸起片部３が反対の表紙部１上に起立するようになる。その起立状態は直立であっても傾斜であっても確実に保持するようになる。
【００１６】
二つ折りに成る２枚の表紙部１，１’が合わされた中間背面巾部２は、他方の表紙部が一方の表紙部間に開口して中央部付近に位置すると、凸起片部３が反り返って起立するから、一方の表紙部面上に直立するようになるが、その部分以外の奥部分は糊着４した固定状態のままに成る。 
【符号の説明】
【００１７】
１，１’                      ２つの表紙部
２                            中間背面巾部
３                            凸起片部
４                            糊着固定部
【図１】
0003225582.tif 000003
【図２】
0003225582.tif 000004
【図３】
0003225582.tif 000005
【図４】
0003225582.tif 000006
【図５】
0003225582.tif 000007
(57)【要約】      （修正有）【課題】取り扱いが容易に行われ、膨らませ作業も容易に行われるスティックバルーンを使用する応援具を提供する。【解決手段】２本のスティックバルーン３それぞれの一方の端部が互いに、通気路７を持つとともに通気路７がスティックバルーン３それぞれの内部に連通する連結体５で連結され、スティックバルーン３または連結体５に内部への空気注入部９が１個設けられてなる。【選択図】図１
0003225951.tif 000002
【実用新案登録請求の範囲】
【請求項１】
２本のスティックバルーンそれぞれの一方の端部が互いに、通気路を持つとともに前記通気路が前記スティックバルーンそれぞれの内部に連通する連結体で連結され、前記スティックバルーンまたは前記連結体に内部への空気注入部が１個設けられてなることを特徴とする応援具。
【請求項２】
前記連結体が湾曲形態の吊り下げ部とされる請求項１記載の応援具。
【請求項３】
所定の形態で同形の２枚のプラスチックシートが重ね合わされ、その周縁が固着されて作成される請求項１または２記載の応援具。
【考案の詳細な説明】
【技術分野】
【０００１】  この考案は、スティックバルーンを使用する応援具に関する。
【背景技術】
【０００２】  各種運動競技の応援に際し、気体が充填されることで棒状に膨らむスティックバルーンが広く用いられている。このスティックバルーンは２本のものが打ち合わされ音が発せられることで応援に使用される場合が多い。その場合使用者は２本のスティックバルーンを所持する必要があり、応援しない時にはその取扱いに手間がかかり、膝上に置いたりするが非常に納まりが悪い。また、２本のスティックバルーンをそれぞれ膨らますのに手間がかかる。
【考案の概念】
【考案が解決しようとする課題】
【０００３】  この考案では、取り扱いが容易に行われ、膨らませ作業も容易に行われるスティックバルーンを使用する応援具を提供することを目的とする。
【課題を解決するための手段】
【０００４】  この考案では、２本のスティックバルーンそれぞれの一方の端部が互いに、通気路を持つとともに前記通気路が前記スティックバルーンそれぞれの内部に連通する連結体で連結され、前記スティックバルーンまたは前記連結体に内部への空気注入部が１個設けられてなることを特徴とする応援具を提供する。
【０００５】  上記構成によれば、２本のスティクバルーンが連結体で一体であることで取り扱いが容易に行える。さらに、２本のスティックバルーンを使用するにもかかわらず逆止弁は１個であるので、２本のスティックバルーンを制作する場合よりも安価に制作できるとともに、使用時には１個の逆止弁から両方のスティックバルーンに空気注入が行える。さらに、スティックバルーンの端部が互いに連結体により接続されていることで、スティックバルーンのそれぞれが揃う状態で打ち合わされ、高温の良質な応援音が発せられる。空気注入部は適宜の部位に設けられればよいが、連結体に設けることでスティックバルーンそれぞれへの空気注入が容易に行われる。
【０００６】  連結体が湾曲形態の吊り下げ部とされることで、非使用時には首や腕に吊り下げて所持できその置き場所に困ることがなく、両手が自由に使用できる。
【０００７】  所定の形態の同形の２枚のプラスチックシートが重ね合わされ、その周縁が固着されて作成されるようにすることで、その作成が容易、かつ、安価に行われる。
【考案の効果】
【０００８】  この考案によれば、２本のスティクバルーンが連結体で一体であることで取り扱いが容易に行える応援具が得られる。さらに、２本のスティックバルーンを別途作成するより安価に制作できるとともに、１個の逆止弁から両方のスティックバルーンに空気注入が行える応援具が得られる。さらに、良質な応援音が発せられる応援具が得られる。
【図面の簡単な説明】
【０００９】
【図１】  この考案の応援具の実施形態の斜視図
【図２】  この考案の応援具の他の実施形態の斜視図
【考案を実施するための形態】
【００１０】  図１はこの考案の応援具の斜視図である。応援具１はプラスチックシート製で、２本のスティックバルーン３それぞれの一方の端部が互いに連結体５で連結されて構成されている。連結体５は湾曲形態でスティックバルーン３それぞれの内部に連通する通気路７を持ち、その途中部に空気注入部となる逆止弁９が取り付けられている。応援具１は、所定の形態で同形にカットされた２枚のプラスチックシートが重ね合わされ、その周縁が熱溶着されて一体に作成され、その熱溶着の際に逆止弁９が固着取り付けされている。
【００１１】  上記逆止弁９は２枚のフィルムの重ね構造で内部に気体導入路を備え、気体導入部１０は連結体５の外部へ広い巾において大きい距離で突出しており、その突出部分において２枚の重ね構造のフィルムが開き、開かれた気体導入部１０に唇を合わせて口から気体を吹き込むことで内部に空気の注入が行われる構成となっている。このような逆止弁９が使用されることで空気注入のためのストローを使用することなく容易に空気の注入が行われる。
【００１２】  上記応援具１はスティックバルーン３の連結体５が接続される基部４のそれぞれが持たれ、スティックバルーン３が互いに打ち合わされて応援音が発せられる。その際、連結体５に接続されていることで基部４が互いに近接する位置で持たれ、これによりスティックバルーン３のそれぞれが揃う状態で打ち合わされ、その結果、高音で良質な応援音が発せられる。
【００１３】  応援の合間には、２本のスティクバルーン３が連結体５で一体であることで取り扱いが容易に行え、とくに、湾曲形態の連結体５を首や腕にかけて所持できその置き場所に困ることがなく、両手が自由に使用でき便利である。
【００１４】  また、作成においては、上記のように２枚のプラスチックシートが重ね合わされ、その周縁が熱溶着されて２本のスティックバルーン３と連結体５とが逆止弁９を備える状態で一体に得られるので、その作成が容易に、かつ、安価に行われる。また、２本のスティックバルーン３を使用するにもかかわらず逆止弁９は１個であるので、２本のスティックバルーン３を制作する場合よりも安価に制作でき、使用時には１個の逆止弁３から両方のスティックバルーン３に空気注入が行えるので便利である。
【００１５】    図２は応援具１の他の実施形態を示し、このものでは連結体５が折り曲げ可能な細い径のパイプ形態とされ、全体が直線状として作成され、一方のスティックバルーン３の端部に逆止弁９が取り付けられている。この実施形態の応援具１も上記実施形態の応援具１と同様に使用される。
【符号の説明】
【００１６】１    応援具
３    スティックバルーン
５    連結体
７    通気路
９    逆止弁（空気注入部）
【図１】
0003225951.tif 000003
【図２】
0003225951.tif 000004
(57)【要約】      （修正有）【課題】学生服や作業衣の胸ポケットに着するネームプレートを提供する。【解決手段】ポケット口布に布の筒２を設け、ネームプレート本体３の背面にある鉤型状部分４を、布の筒に差し込む。生地５を痛めず外れにくく、しかも生地との接着面が大きいため、安定性がある。【選択図】図７
0003225953.tif 000002
【実用新案登録請求の範囲】
【請求項１】
ネームプレート本体の背面に有する鉤型部分を、着するポケット口布の布の筒に差し込むことにより、生地との接着面が大きくなり、外れにくい安定性のあることを特徴とする取り外し簡単ネームプレート。
【考案の詳細な説明】
【技術分野】
【０００１】この考案は、主に学生服や作業衣の胸ポケットに着するネームプレートに関するものである。
【背景技術】
【０００２】従来より、胸ポケット着するネームプレートなどはあった。
【考案の開示】
【考案を解決しようとする課題】
【０００３】これは次のような欠点ががあった
（イ）ピン留型やクリップ型のネームプレートは生地を痛めていた。
（ロ）ピン留型やクリップ型のネームプレートは生地に取り付ける際、金属製からなるピンやクリップを使用、先端が細く、尖っているため危険性があった。
（ハ）ピン留型やクリップ型のネームプレートは生地との接着面が少ないため不安定であった。
（二）ピン留型やクリップ型のネームプレートは外れやすい欠点があった。
本考案は、以上の欠点を解決するために考案されたものである。
【課題を解決するための手段】
【０００４】着するポケット口布に布テープを二の字に縫い付けて鉤通しを設け，着用することを特徴とした、取り外し簡単ネームプレートである。
【考案の効果】
【０００５】ネームプレートの取り外しが簡単にでき、生地との接着面が大きく安定し取れにくいし、鉤型状部分を平面かつ隅丸にすることにより、人体に及ぼす危険性が少なく生地を痛めることがない。
【考案を実施するための最良の形態】
【０００６】  以下、本考案を実施するための最良の形態を説明する。
（イ）鉤型状プレートを着する布の筒を上着胸ポケットに受け口として設ける。
（ロ）プレート本体の背面、鉤型状部分（７）を生地の歯止め丸穴に通し差し込む、これにより生地と接着面が大きくなり、安定させることができる。
【図面の簡単な説明】
【０００７】
【図１】本考案の取り付け部分正面図
【図２】本考案の正面図
【図３】本考案の側面図
【図４】本考案の背面図
【図５】本考案の背面斜視図
【図６】本考案の組み合わせを示す側面図
【図７】本考案の差込使用状態を示す側面図
【符号の説明】
【０００８】１、ポケット口布
２、鉤型通し（布の筒）
３、プレート本体
４、鉤型状部分
５、生地
【図１】
0003225953.tif 000003
【図２】
0003225953.tif 000004
【図３】
0003225953.tif 000005
【図４】
0003225953.tif 000006
【図５】
0003225953.tif 000007
【図６】
0003225953.tif 000008
【図７】
0003225953.tif 000009
(57)【要約】      （修正有）【課題】乗用ゴルフカートのゴルフバッグレインカバー使用時に該レインカバーを支えて保持するレインカバー用ステーを提供する。【解決手段】乗用ゴルフカートのゴルフバッグキャリヤーに取付け部１を差し込み、挟むことでステー２を取り付け、レインカバー受け部３の上にレインカバーを広げて被せ、ステー２で該レインカバーを支え、持ち上げた状態を保持することによりゴルフクラブ取り出し口に空間を作り出す。【選択図】図１
0003225943.tif 000002
【実用新案登録請求の範囲】
【請求項１】
乗用ゴルフカートに取付けられたレインカバーを支え上げ、その位置を保持し、後付けの骨組みとなる機構を特徴とするレインカバー用ステー。
【請求項２】
乗用ゴルフカートのゴルフバッグキャリヤーへ差し込み、挟み込む構造により、取付けることが出来ることを特徴とする請求１記載のレインカバー用ステー。
【請求項３】
ステーに角度を付けることにより、レインカバーの高耐久の部分へステーのカバー受け部を位置させることが出来る構造を特徴とした請求１記載のレインカバー用ステー。
【考案の詳細な説明】
【技術分野】
【０００１】この考案は、乗用ゴルフカートのゴルフバッグレインカバー使用時に該カバーを支える為、随時取付け、取外しが可能なステーに関するものである。
【背景技術】
【０００２】従来、ゴルフバッグレインカバーには骨組みがなく、ゴルフバッグ自体に密着して覆い被さる構造となっていた。
【考案の概要】
【考案が解決しようとする課題】
【０００３】ゴルフバッグレインカバーはゴルフバッグ自体に密着して覆い被さっており、ゴルフクラブを取り出す際にも、該カバーをめくり上げる際にゴルフバッグに雨水がかかりやすく、ゴルフクラブも取り出しにくいという問題があった。
【課題を解決するための手段】
【０００４】本考案は、ゴルフバッグレインカバーを使用する際にゴルフバッグキャリヤーを挟み込む形で取付け、角度を付けたステーの先端側が該レインカバーを押し上げ、該レインカバーを支え上げた状態を保持することで問題を解決している。
【考案の効果】
【０００５】上述の様に、本考案のステーはゴルフバッグレインカバーの後付けの骨組みとして、該レインカバーを支え上げる状態を保持することにより、ゴルフクラブ取り出し口に空間を生み出し、雨水がかかり難く、且つ、該クラブをスムーズに抜き差し出来る環境を作り出すという優れた効果がある。
【図面の簡単な説明】
【０００６】
【図１】本考案のステーの実施例を示す正面図である。
【図２】本考案のステーの実施例を示す斜視図である。
【考案を実施するための形態】
【０００７】この考案は、乗用ゴルフカートのゴルフバッグキャリヤーに取付け実施する。具体的な実施形態について以下に図１の内容を用いて説明する。１は該ゴルフカートへの取り付け部であり、該バッグキャリヤーに差し込み、挟むことで取付ける。３のレインカバー受け部の上にレインカバーを広げて被せ、２のステーで該レインカバーを支え、持ち上げた状態を保持し、ゴルフクラブ取り出し口に空間を作り出す。
【符号の説明】
【０００８】１      取り付け部
２      ステー
３      レインカバー受け部
【図１】
0003225943.tif 000003
【図２】
0003225943.tif 000004
【手続補正書】
【提出日】令和2年1月30日(2020.1.30)
【手続補正１】
【補正対象書類名】実用新案登録請求の範囲
【補正対象項目名】請求項１
【補正方法】変更
【補正の内容】
【請求項１】
乗用ゴルフカートに取り付けられたレインカバーを使用する際、Ｔ字形状の受け部材が該レインカバーに押し当たり、その受け部材に繋がる直線状の支柱フレーム部材が該レインカバーを支え上げ、その支え上げた位置を保持することで、骨組みを持たない該レインカバーに対し、後付けの骨組みとなる機構を特徴とするレインカバー用ステー。
【手続補正２】
【補正対象書類名】実用新案登録請求の範囲
【補正対象項目名】請求項２
【補正方法】変更
【補正の内容】
【請求項２】
前記載支柱フレーム部材に繋がるチャンネル形状の取り付け部を、乗用ゴルフカートのゴルフバッグキャリヤーのバッグ受け部分の最上段へ、差し込み、そのチャンネル状の形状により該バッグ受け部分を挟み込む構造により、ゴルフカートへ随時取付け、取外すことが出来ることを特徴とする請求１記載のレインカバー用ステー。
【手続補正３】
【補正対象書類名】実用新案登録請求の範囲
【補正対象項目名】請求項３
【補正方法】変更
【補正の内容】
【請求項３】
前記載支柱フレーム部材に角度を付けることにより、レインカバーのゴルフクラブの抜き差しを行う部分の上部へ、ステーのＴ字形状のカバー受け部を位置させることが出来る構造を特徴とした請求１記載のレインカバー用ステー。
(57)【要約】      （修正有）【課題】バッグを便利に使える仕切り板を提供する。【解決手段】バッグの中に仕切り板２を付け、入れ場所を区別する。【選択図】図１
0003225942.tif 000002
【実用新案登録請求の範囲】
【請求項１】
バックの中身をわけて入れて便利に使う。
【考案の詳細な説明】
【技術分野】
【０００１】本考案はバックの使い方を便利に使えるように作成する。
【背景技術】
【０００２】バックの色を各種使う
【課題を解決するための手段】
【０００３】バックの中の入れ物により区別出来るように作成する。
【考案の効果】
【０００４】バックを持つことが楽しくなり感動する。
【図面の簡単な説明】
【０００５】
【図１】図１の説明しました中にある中身の仕切り板がよい効果
【図１】
0003225942.tif 000003
【手続補正書】
【提出日】令和2年1月23日(2020.1.23)
【手続補正１】
【補正対象書類名】実用新案登録請求の範囲
【補正対象項目名】全文
【補正方法】変更
【補正の内容】
【実用新案登録請求の範囲】
【請求項１】
バックの中身に仕切りを付け、入れ場所を区別するための仕切り板。